(57)【要約】      （修正有）【課題】携帯電話機、端末機を操作しながら歩行する歩行者の安全を確保できるおしらせ信号センサー内蔵マットを提供する。【解決手段】マット基材２の上面に複数配列して配設された第一の発光素子４ａと、第一の発光素子に近接して複数配列して配設された第二の発光素子４ｂと、第一の発光素子と第二の発光素子を夫々駆動させる制御機構及び電源装置を内蔵する制御部と、人を感知するセンサー３をマット基材の所定位置に配設すると共に、マット基材の上面に光透過部が形成されたカバー部材６により一体に形成され、信号機が設置された交差点の所定歩道面上に設置される。人が人感知センサーに近接すると、体温などに反応して配電部５に信号を送り、信号同期装置８の同期信号と同期して、例えば赤信号の表示であればマット表面も赤く発光する。【選択図】図１
0003211978.tif 000002
【実用新案登録請求の範囲】
【請求項１】
マット基材の上面に複数配列して配設された第一の発光素子と、該第一の発光素子に近接して複数配列して配設された第二の発光素子と、前記第一の発光素子と第二の発光素子を夫々駆動させる制御機構及び電源装置を内蔵する制御部と、人を感知するセンサーを前記マット基材の所定位置に配設すると共に、前記マット基材の上面に光透過部が形成されたカバー部材により一体に形成され、信号機が設置された交差点の所定歩道面上に設置されることを特徴とするおしらせ信号センサー内蔵マット。
【請求項２】
前記発光素子を駆動制御させる制御機構は、前記人を感知するセンサーの感知によって駆動すると共に、交差点に設置された横断歩道に対応する信号機と関連して前記発光素子の発光色を制御することを特徴とする請求項１に記載のおしらせ信号センサー内蔵マット。
【考案の詳細な説明】
【技術分野】
【０００１】  本考案は、携帯電話機、端末機を操作しながら歩行する歩行者の安全を確保できる、おしらせ信号センサー内蔵マットに関するものである。
【背景技術】
【０００２】  近年、携帯できる電話機や端末機が広く使用されており、歩行者が電話機を使用しながら歩いたり、端末機を操作しながら歩く姿が頻繁に見られる。そのため、歩行者同士が衝突したり、交差点などの信号に気づかずに横断するなど非常に危険な状態である。【０００３】  交差点においては、視覚障害者の安全に配慮した設備として、凹凸のあるマットや信号機に設置された音声発生装置が設置されており、注意喚起がなされているが、携帯端末機を見ながら歩く歩行者に大しては有効な手段はとられていない。【０００４】  そこで、マット上面を足で踏むことでマットの表面や周辺部からいろいろな色彩の光を放つ発光機能付きマットが提案されている（特許文献１参照）。
【先行技術文献】
【特許文献】
【０００５】
【特許文献１】特開平１１−２４４１７号公報
【考案の概要】
【考案が解決しようとする課題】
【０００６】  特許文献１に記載されている技術は、マット基盤の表面部の全面に配設された感圧センサー若しくは感圧スイッチと、このマット基盤の表面部や周辺部に配設された発光素子と、前記感圧センサー若しくは感圧スイッチからの信号を検出したり発行素子を駆動させるための制御回路や電池等を内蔵した制御部と、からなりマットの表面から足で押圧することでマット基盤に配設された発光素子を発光させるものであり、携帯端末機を使用しながら歩く歩行者を感知して発光させ、注意喚起を図るものではなかった。【０００７】  本考案は、上記の問題点に鑑み、携帯電話機、端末機を操作しながら歩行する歩行者の安全を確保できる、おしらせ信号センサー内蔵マットを提供する事を目的とする。
【課題を解決するための手段】
【０００８】  上記の問題点を鑑み、本考案のおしらせ信号センサー内蔵マットは、マット基材の上面に複数配列して配設された第一の発光素子と、該第一の発光素子に近接して複数配列して配設された第二の発光素子と、前記第一の発光素子と第二の発光素子を夫々駆動させる制御機構及び電源装置を内蔵する制御部と、人を感知するセンサーを前記マット基材の所定位置に配設すると共に、前記マット基材の上面に光透過部が形成されたカバー部材により一体に形成され、信号機が設置された交差点の所定歩道面上に設置されることを特徴とする。【０００９】  また、前記発光素子を駆動制御させる制御機構は、前記人を感知するセンサーの感知によって駆動すると共に、交差点に設置された横断歩道に対応する信号機と関連して前記発光素子の発光色を制御することを特徴とする。
【考案の効果】
【００１０】  本考案は、人を感知するセンサーによって人を感知することで、マット基材の上面に複数配設された第一の発光素子と第二の発光素子を夫々駆動させることができるため、交差点などで携帯端末機などを操作しながら歩く歩行者に適切な注意喚起を行うことができる。【００１１】  また、前記発光素子を駆動させる制御機構は、前記センサーの感知によって駆動すると共に、交差点に設置され横断歩道に対応する信号と関連して発光素子の発光色を制御することによって、歩行者が進む方向と同じ発光色或いは点滅状態を足元で確認できるため、歩行者が携帯端末を見ながら歩いていても適切な注意喚起ができる。
【図面の簡単な説明】
【００１２】
【図１】本考案のおしらせ信号センサー内蔵マットの構造説明図である。
【図２】本考案のおしらせ信号センサー内蔵マットを使用した状態を説明する説明図ある。
【考案を実施するための形態】
【００１３】  以下、本考案を一実施例に基づいて説明する。
【実施例１】
【００１４】  図１は、本考案のおしらせ信号センサー内蔵マットの一実施例を示す構造説明図であり、図２は、本考案のおしらせ信号センサー内蔵マットを使用した状態を説明する説明図である。マット本体１は、マット素材２の上部に配設された人感知センサー３と、複数の青色ＬＥＤ４ａと、複数の赤色ＬＥＤ４ｂと、からなる発光素子部４と、この発光素子部４の発光の駆動及び制御を行う配電部５と、複数の青色ＬＥＤ４ａと、複数の赤色ＬＥＤ４ｂに対向して光透過部（図示せず）を設けた保護カバー６とから構成されている。【００１５】  配電部５は、外部電源供給部７より供給される電力を発光素子部４に必要な電圧に変換して供給する電源装置（図示せず）と、人感知センサー３からの信号によって発光素子部４の発光制御を行う制御部（図示せず）をさらに備えている。そして交差点に設置されている信号機１０の発光状態と同期させる信号同期装置８をケーブル９によって接続している。【００１６】  この構成からなる本考案のおしらせ信号センサー内蔵マットは、人が人感知センサー３に近接すると、体温などに反応して配電部５に信号を送り、信号同期装置８の同期信号と同期して発光素子部５が発光し、例えば赤信号の表示であればマット表面も赤く発光する。【００１７】  図２は、本考案のおしらせ信号センサー内蔵マットを使用した状態を説明する説明図であり、交差点１００に備えられた信号機１０の近傍路面に、マット本体１が横断歩道１１１に平行して夫々設置されている。【００１８】  この構成によって、歩行者が交差点１００に近くを歩くか、立ち止まると、マット本体１の人感知センサー３によって感知され、信号機１０の発光色と同じ発光色でマット本体１の表面が発光し、例えば青色の発光信号であれば青色に発光する。したがって携帯電話機や端末機を操作しながら歩く歩行者が、交差点に近づいた場合でも、信号機を直接見ていなくても足元で信号の色を把握することが可能となり、例えば青色の点滅であれば、急いで渡るかどうかの判断を行うことが可能となる。【００１９】  なお、本考案は前記実施例に限定されるものではなく、人感知センサー３は体温以外に感知する物であってもよく、また、発光以外に外部音源と連結する構成によって歩行者に危険を通知する構成であってもかまわない。そして、マット基材、保護カバー６の材質は耐候性と耐久性に優れたものであればよく、具体的な各部の形状は適宜変更可能である。
【符号の説明】
【００２０】１      マット本体
２      マット基材
３      人感知センサー
４      発光素子部
５      配電部
６      保護カバー
７      外部電源供給部
８      信号同期装置
９      ケーブル
１０    信号機
１００  交差点
１１１  横断歩道
【図１】
0003211978.tif 000003
【図２】
0003211978.tif 000004